(57)【要約】【課題】想定以上の安全性が確保された引き出しを設けたベッドを提供することを解決すべき課題とする。【解決手段】引き出し７と、引き出し７が挿脱可能な開口部をもち且つ床面から隙間を介して設けられた引き出しボックス６とをもつベッド収納装置を備え、引き出しボックス６の開口部における隙間側の引き出しの挿脱方向の断面形状は鈍角６ｋである。隙間の形状が問題になりうる部位としては、引き出しボックスの下部が想定される。引き出しボックスは引き出しの操作のために手などを挿入する部位であり、また、その部分は床の不整形状に対応するために隙間を設ける部分であるためである。この部分の形状として引き出しの挿脱方向での断面の形状（床に対向する側の角）を鈍角にすることにより、その隙間に使用者の体の一部が入っても大きな問題が生じるおそれが少なくできる。【選択図】図７
2014166231.tif 000002
【特許請求の範囲】
【請求項１】
引き出しと、ベッドフレームに対し水平方向に開口し前記引き出しが挿脱可能な開口部をもち且つ床面から隙間を介して設けられた引き出しボックスとをもつベッド収納装置を備え、
前記引き出しボックスの前記開口部における前記隙間側の前記引き出しの挿脱方向の断面形状は鈍角であるベッド。
【請求項２】
前記引き出しボックスは前記引き出しの挿脱方向に対して側面側に設けられた側板と前記側板の上部を接続する天板と前記側板の下方の挿脱方向の一部を接続する地板と前記側板の内方に設けられ前記引き出しに係合して案内する案内レールとをもつ請求項１に記載のベッド。
【発明の詳細な説明】
【技術分野】
【０００１】
本発明は、ベッドに関し、詳しくはベッドフレームに引き出しを備えたベッドに関する。
【背景技術】
【０００２】
従来のベッドは箱状体（引き出しボックス）に収納された収納ケース（引き出し）を円滑に引き出すことができるようにしたベッド装置（ベッド）がある（例えば特許文献１）。
【０００３】
ベッドは寝室などの床の上に載置される。ベッドに設けられた引き出しボックスは直接、床の上に接するように配置すると、床の平面性の程度によってはがたつきが生じるおそれがあるため、どのような床の状態であっても安定してベッドを配設できるように一定の隙間を介して配置することが通常である。
【０００４】
また、引き出しについても床との干渉を防ぎ、且つ、使用者が手を差し込んで操作可能になるように引き出しの前面に設けた前板について床との間に隙間が生じるように配設している。そのため、引き出しに加え、引き出しボックスについても使用者がその使用過程において触れることがある。
【先行技術文献】
【特許文献】
【０００５】
【特許文献１】特開２００５−１７６９０２号公報（図面参照）
【発明の概要】
【発明が解決しようとする課題】
【０００６】
近年のユーザーの意識向上により、商品について僅かに想定される問題点であっても極力解消することが望まれる。特に、寝室は安らぎが求められる空間であるため、そこに配設されるベッドについては通常の利用状態を超えていても、わずかにでも想定される場合には必要以上であっても安全性を実現することが望まれている。
【０００７】
ここで、床の平面性が想定以上に不整な場合がある。そのような場合には、床の形態によってはベッドのガタツキが生じることもあるため、ベッドの下にガタツキを無くすように想定しない物を挟み込むことが行われる可能性があり、ベッドの下に大きな隙間が生じることがある。また、何も挟み込んだりしない場合であっても床の不整の程度によってはある程度の大きさの隙間が生じることが考えられる。
【０００８】
このように本発明者らが鋭意検討を行った結果、床の状態によっては引き出しボックスの引き出しを挿脱する開口部の下部と床との間隔が大きくなりすぎたりすることがあることを発見した。引き出しの下には前述したように引き出しの挿脱時に手を挿入するための隙間が当初から設けられており、その隙間が床の状態によっては大きくなることがある。引き出しボックスの下部の間隔が大きくなると、その隙間に手や足などが入ることが想定され、そのような場合にでも充分な安全性を確保する必要があった。
【０００９】
本発明は上記実情に鑑み完成したものであり、想定以上の安全性が確保された引き出しを設けたベッドを提供することを解決すべき課題とする。
【課題を解決するための手段】
【００１０】
（１）上記課題を解決するベッドは、引き出しと、ベッドフレームに対し水平方向に開口し前記引き出しが挿脱可能な開口部をもち且つ床面から隙間を介して設けられた引き出しボックスとをもつベッド収納装置を備え、
前記引き出しボックスの前記開口部における前記隙間側の前記引き出しの挿脱方向の断面形状は鈍角である。
隙間の形状が問題になりうる部位としては、引き出しボックスの下部（床に対向する部位）が想定される。引き出しボックスは引き出しの操作のために手などを挿入する部位であり、また、その部分は床の不整形状に対応するために隙間を設ける部分であるためである。この部分の形状として引き出しの挿脱方向での断面の形状（床に対向する側の角）を鈍角にすることにより、その隙間に使用者の体の一部が入っても大きな問題が生じるおそれが少なくできる。
【００１１】
（２）上記（１）の構成に対して以下の構成を付加することが可能である。前記引き出しボックスは前記引き出しの挿脱方向に対して側面側に設けられた側板と前記側板の上部を接続する天板と前記側板の下方の挿脱方向の一部を接続する地板と前記側板の内方に設けられ前記引き出しに係合して案内する案内レールとをもつ。
【００１２】
本構成を採用するときには引き出しボックスの下部として床に対向する部分として以上の問題が存在するものと考えられる部位としては側板の下部が想定される。つまり、以上の構成を採用する場合においては側板の下部の前面の形状（角）が鈍角になるようにする。
【発明の効果】
【００１３】
上記構成を採用することにより、万が一、床の状態により引き出しボックスの下部と床面との間の隙間が大きくなり、引き出しボックスの下部と床との間に体の一部が入っても、使用者に悪影響が生じ難くなる。
【図面の簡単な説明】
【００１４】
【図１】本実施形態のベッドの右側面図である。
【図２】本実施形態のベッドの上面図である。
【図３】本実施形態のベッドの足側からみた概略図であり、フットフレームを外した状態を表す図である。
【図４】本実施形態のベッドの足側からみた概略図である。
【図５】本実施形態のベッドの引き出しボックスの概略図である。
【図６】本実施形態のベッドの引き出しボックスの概略図である。
【図７】本実施形態のベッドの引き出しボックスの側面図（ベッドの足側からみた概略図）である。
【図８】変形態様のベッドの引き出しボックスの側面図（ベッドの足側からみた概略図）である。
【発明を実施するための形態】
【００１５】
本発明のベッドについての以下実施形態に基づき詳細に説明する。本実施形態のベッドは引き出しを備える。引き出しは引き出しボックス内に挿脱可能である。引き出しボックスはベッドを設置したときに引き出しが水平方向に挿脱可能になるような開口部をもつ。具体的にはベッドの側面方向に開口するか、上下方向に開口する。特に、使い勝手（引き出しを引き出したときの空間を考えると側面に引き出した方が引き出しを配置しやすい）を考えると側面方向に開口し、側面方向に引き出しが挿脱される形態が望ましい。
【００１６】
引き出しボックスはベッドフレームと独立して形成されていても良いし、引き出しボックスがベッドフレームの一部を形成していても良い。引き出しボックスとしては引き出しを左右方向（側面）から保持し、滑らかに挿脱させることができるスライドレールをもつことが望ましい。そのため、スライドレールを保持する部材としての側板をもつことが望ましい。側板には引き出しの重さが加わるため、床面にそのまま接するか、又は、脚などを介して接するなどすることが望ましい。側板はベッドフレームから分離しないように、側面（例えば側板の外側）にてベッドフレームに直接結合されているか、ベッドフレームの高さと同じにして上部又は下部にてベッドフレームに結合されているかすることができる。側板は左右方向に分離しないように上側と下側とで左右が連結されていることが望ましい。上側の連結部分は、上に載せるマットレスを支持するベッドフレームの一部として兼用することが望ましい。例えば、側板を先述したように上部にてベッドフレームと結合しベッドフレームの天板（上にマットレスを載せる部分）にて引き出しボックスの天板（引き出しボックスを構成する側板を上部にて連結する部材）を兼ねることができる。また、下側の連結部分は側板の全体（引き出しの挿脱方向の全体）にて底板を設けることもできるし、挿脱方向の一部にて側板を連結する形態にすることもできる。挿脱方向の一部にて側板を連結する場合には側板の前面（挿脱方向の脱方向を前方向とする）には底板は存在させず挿脱方向の中程にのみ底板を設けることができる。
【００１７】
側板及び底板について、床に隙間を介して対向する部分（ベッドを設置する床としては常に高い平面性が確保されている場合ばかりではないため、側板や底板の全面にて床に接する形態ではなく、脚（脚としては別部材から構成しても良いし、側板や底板の一部として、側板や底板と一体的な部材にすることもできる）を介して床に接するような形態を採用することが望ましい）の開口部の前面の下部の断面形状（引き出しの挿脱方向の断面）として鈍角になるような形状を採用する。すなわち、開口部（引き出しボックスにおける引き出しの脱方向の端部）の下側が斜め（前下方向に面が向いている）などの形態になっている。特に底板が挿脱方向の中程にのみ存在する形態を採用する場合には側板の下部の形状を断面下方が鈍角になるようにする。ここで、鈍角とは９０°以上であれば良いとの意味であり、特に望ましくは、１００°、１１０°、１２０°、１５０°などの数値が採用できる。また、丸まった形状であってもよい。
【００１８】
（構成）
本実施形態のベッドの一例を図面に基づき説明する。本実施形態のベッドは、図１〜４に示すように、ベッドフレーム１と引き出し７とをもつ。ベッドフレーム１はヘッドフレーム２とフットフレーム３とサイドフレーム４とボトムボード５と引き出しボックス６とを備える。ヘッドフレーム２は使用者の頭側に、フットフレーム３は足側に配設され、互いに対向している。引き出しボックス６と引き出し７とが組み合わさってベッド収納装置を構成する。
【００１９】
ヘッドフレーム２とフットフレーム３との間はサイドフレーム４と引き出しボックス６とにより連結されている。サイドフレーム４はその上に仰向けに就寝する使用者を基準として左側を連結し、引き出しボックス６は右側を連結する。ヘッドフレーム２とフットフレーム３とサイドフレーム４とは立設された板状体であり、”コ”の字状に連結されている。”コ”の字の開口する部分に引き出しボックス６が配設され、引き出しボックス６の大きさは頭−足方向でサイドフレーム４と同程度、幅方向でヘッドフレーム２及びフットフレーム３の半分程度である。
【００２０】
ボトムボード５はベッドフレーム１の上（ヘッドフレーム２とフットフレーム３とサイドフレーム４と引き出しボックス６とで囲まれた領域）に載置される。ボトムボード５を支持するため、サイドフレーム４には受桟４ａが設けられ、引き出しボックス６には受桟６ｉが設けられる。引き出しボックス６の天板６ｅとボトムボード５とによりマットレスＭを支持する。
【００２１】
図５〜７に示すように、引き出しボックス６は２つの引き出し７が挿脱可能になるような構成をもつ。引き出し７はベッドの左方に引き出される。引き出しボックス６は左側板６ｂと右側板６ｃと裏板６ｇと天板６ｅと地板６ｈと仕切板６ｄとをもつ。右側板６ｃはフットフレーム３に近接し、左側板６ｂはヘッドフレーム２に近設する。引き出し７はヘッドフレーム２とフットフレーム３とに平行な方向（左右方向）に挿脱可能であり、その引き出し７の挿入される方向の奥側に裏板６ｇが配設される。
【００２２】
裏板６ｇは左右側板６ｂ、６ｃの高さ方向と同じ高さで、サイドフレーム４と同じ長さである。裏板６ｇと左右側板６ｂ、６ｃとの接合は接合部材８２と締結部材８３とにより行われる。接合部材８３は木製の棒材であり、裏板６ｇと左右側板６ｂ、６ｃとの対応する部位に穿孔された孔内に挿入される。締結部材８３はネジである。裏板６ｇの奥側の高さ方向の中上には先述した受桟６ｉが配設される。同じ高さでサイドフレーム４に受桟４ａが配設される。裏板６ｇの下部の頭−足方向の両端部近傍には支持脚６３、６４が配設される。
【００２３】
天板６ｅは左右側板６ｂ、６ｃの奥行き方向（引き出しの挿脱方向）とほぼ同じ奥行きを持ち、サイドフレーム４とほぼ同じ幅を持つ板状体である。天板６ｅと左右側板６ｂ、６ｃとの接合は接合部材８１を介して行う。接合部材８１は天板６ｅと左右側板６ｂ、６ｃとの対応する部位に穿孔された孔内に挿入されることで天板６ｅと左右側板６ｂ、６ｃとを接合する。
【００２４】
左右側板６ｂ、６ｃの下側には地板６ｈが接合部材８４により接合される。地板６ｈは引き出し７の手前側（脱方向）の少し奥まった部位に接合されている。左右側板６ｂ、６ｃの奥行き（挿脱方向）のうちの一部になる長さを持ち、幅はサイドフレーム４と同程度の長さである。地板６ｈの下には支持脚６１が設けられ、ベッドが配設されるときに床との間に隙間が形成される。
【００２５】
天板６ｅの中央部（頭−足方向）には仕切板６ｄが配設される。仕切板６ｄと天板６ｅ、裏板６ｇとは先述した接合部材８１，８２と締結部材８３とにより固定される。
【００２６】
以上の構成をもつことにより、引き出し７が挿脱可能な空間が２つ区画される。左右側板６ｂ、６ｃの内側と、仕切板６ｄの両側には引き出し７を滑走可能なスライドレール６ｊが配設される。スライドレール６ｊに組み合わせ可能なスライドレール７ｇが引き出し７の左右に配設される。
【００２７】
以上の構成をもつことから、引き出し７が挿脱可能な開口部は上側が天板６ｅ、左右側が左側板６ｂ、右側板６ｃ、仕切板６ｄがあり、下側は開放（奥まった位置に地板６ｈが存在するが、外部から使用者がアクセス可能な位置にはないため）されている。
【００２８】
この開口部のうち、床面との間にある隙間側の部分としては左右側板６ｂ、６ｃと仕切板６ｄとの前下側６ｋである。前下側６ｋは前下方向（引き出しの脱方向が前である）に向くように斜めに切断されている。その結果、前下側６ｋにおける引き出しの挿脱方向の断面形状は鈍角になっている。なお、前下側６ｋの位置としてはできるだけ床面との間の隙間を小さくすることが望ましい。隙間に足先や物などが挿入され難くするためである。そのために前下側６ｋは、その部分において床側に突出するような形状になっている。
【００２９】
引き出し７は上方が開口する箱状体であり、手前側（挿脱方向）に配設される前板７ａと、左右方向に配設された左側板７ｂと右側板７ｃと、奥側に配設された後板７ｄと、底板７ｆと、スライドレール７ｇとをもつ。引き出し７は引き出しボックス６内に挿入されているときに前板７ａの下側に隙間（使用者の手が挿入できる程度）があくようになっている。
【００３０】
（作用効果）
引き出し７は引き出しボックス６内に挿入されているときに前板７ａの下側に隙間が生じるようになっているため、引き出し７を挿脱するときに、その隙間に手などを挿入して行うことができる。引き出し７はスライドレール７ｇ及び６ｉの組み合わせにより、滑らか且つ耐久性良く滑らせることができる。ここで、この隙間の存在により操作性が向上するのであるが、この隙間には床の状態などによっては使用者の足先などが挿入させる場合がある。そのような場合であっても、開口部を構成する前下側６ｋは鈍角であるため、足先などを傷つけるおそれが少なくできる。つまり、前下側６ｋと床との間に足先が挿入されたとしても前下側６ｋが足先を上方向から押圧する力が加わるだけで足先が傷つくようなことはない。これに対して従来の断面形状が鈍角になっていない開口部においては偶然、床との隙間の大きさが足先の大きさと同程度か少し小さいくらいであった場合に、挿入された足先の上側に丁度、開口部の角が当たり、更には足先がその隙間の中に潜り込んで足先を傷つけることが考えられる。
【００３１】
（変形態様）
前下側６ｋの形状として、図７に示すような真っ直ぐ切り落としたような形状の他、図８に示すような角を丸めたような形状（前下側６ｍ）を採用することもできる。このような形状でも足先などが当たったときに足先を傷つけるおそれが少なくなる。
【００３２】
更に、上記実施形態では地板６ｈが左右側板６ｂ、６ｃや、仕切板６ｄの手前側まで設けられていなかったが意匠性などを向上するために手前側まで設ける場合には地板６ｈの手前側の縁も開口部の一部を構成することになる。その場合に床面から隙間を介して設けられた部位に相当することになるため、この場合には地板６ｈの手前側の部分の断面形状も鈍角になるようにする（図７の前下側６ｋの形状や、図８の前下側６ｍの形状などと同じような形状にすることができる）。
【符号の説明】
【００３３】
１…ベッドフレーム
２…ヘッドフレーム
３…フットフレーム
４…サイドフレーム
６…引き出しボックス
６ｂ…左側板    ６ｃ…右側板    ６ｄ…仕切板    ６ｅ…天板    ６ｇ…裏板    ６ｈ…地板    ６ｋ、６ｍ…前下側    ６１〜６４…支持脚
７…引き出し
７ａ…前板    ７ｂ、７ｃ…側板    ７ｄ…後板    ７ｅ…底板
８１、８２、８４…接合部材    ８３…締結部材
Ｍ…マットレス
【図１】
2014166231.tif 000003
【図２】
2014166231.tif 000004
【図３】
2014166231.tif 000005
【図４】
2014166231.tif 000006
【図５】
2014166231.tif 000007
【図６】
2014166231.tif 000008
【図７】
2014166231.tif 000009
【図８】
2014166231.tif 000010